(57)【要約】      （修正有）【課題】安全カミソリの運行操作と人体の自然運動が調和して顔面各部位及び体毛処理が安全に安心してできる安全カミソリを提供する。【解決手段】ハンドル１と、ハンドルの長さ方向の先端に設けられた装着部材３と、装着部材に設けられた刃保持体４と、保持体に設けられた刃と、安全棒６と、を備え、ハンドルは、上向きに反りを有する棒状に形成され、装着部材３は、刃保持体４をハンドルの長さ方向に対して斜角に装着できるように支持部材２を介して形成されている。安全カミソリの刃はクサビの原理、ハンドルはテコの原理を応用して構成され、装着部材を斜角に設けて支点である安全棒が全体を支える。【選択図】図２
0003213710.tif 000002
【実用新案登録請求の範囲】
【請求項１】
ハンドル１を上向きに反りを有する棒状に形成し、、刃保持体４が斜角に装着できるように、ハンドル１の長さ方向の先端に装着部材３を斜角に設けることを特徴とする。
【請求項２】
作用点である刃を刃保持体４に刃の厚さ、研磨角度にもよるが対皮刃角度を１０゛〜１５゛に設けることを特徴とする。
【考案の詳細な説明】
【技術分野】
【０００１】本考案は髭剃り、体毛処理が快適にできる安全カミソリに関する。
【技術背景】
【０００２】従来の安全カミソリは固定式、首振り式であり、ハンドルはストレ−ト又は内向きに反りを有する棒状に形成されている。
【先行技術】
【０００３】特許文献第２８９０２５１号
ハンドルを人体の自然運動に会うように、外向きに反りを有する棒状に形成している。そして刃物は対象物の質量に比例して重さを必要とするから、先端部に重心を設けている。そしてハンドルの長さ方向に直角に交差する角度を保持している支持部材を設け、その先端に装着部材を設けている。髭剃りは皮膚に突き出た髭を安全カミソリの刃を滑らせる用にして除去するものであり、切削作用と言われている。そして切削作用を良好にするために皮膚面に刃を良くねかせて、切削抵抗を小さくする。そして刃の厚さ、研磨角度にもよるが対皮刃角度を１０°〜２０°にする。
【考案の概要】
【考案が解決しようとする課題】
【０００４】上記文献には、安全カミソリと人体の自然運動と一致とあるが、その使用操作に不調和があり、次ぎのような欠点があった。
１、装着部材をハンドルの長さ方向に直角に設けたこと、
２、顔面に安全棒より先に上刃、下刃が当接したこと、
３、顔面の各部位に適切な刃角度で使用操作ができなかったこと、
４、ハンドルの先端に重心を設けたから余計な力が掛かったこと、
５、安全棒が活用できなかったから刃先行になったこと、
上記不具合を改良して快適な髭剃りができる安全カミソリを提供する。
【課題を解決するための手段】
【０００５】上記目的を達成するために、次ぎのような技術手段を講じる。
安全カミソリの刃はクサビの原理であり、ホルダ−はテコの原理を応用したものである。この二つの原理で構成されているから、考え方にもよるが一種の器械とも言える。そして刃は作用点であり、ハンドル１は力点であり、安全棒６は支点であるが、ホルダ−全体を支える中心点であり、運行操作の重要な役割を有している。【０００６】器械の機能は形に従うと言われている。と共に人体の自然運動に調和するように持ちやすく、使いやすくして、ホルダ−全体を安全棒６が活用できるように形成する。即ち、ハンドル１を上向きに反りを有する棒状に形成し、刃保持体４が斜角に装着できるように、ハンドル１の長さ方向の先端に装着部材３を斜角に設けることを特徴とする。そして髭剃りはデリケ−トな角度の技術であるから作用点である刃を刃保持体４に刃の厚さ、研磨角度にもよるが対皮刃角度を１０゛〜１５゛に設けることを特徴とする。よって上記の目的を達成したのである。
【考案の効果】
【０００７】本考案の安全カミソリは安全棒６を先行させて、運行操作を行うと老若男女が安全に安心して使用できるめである。顔には個人差があり、起伏凹凸はもとより皮丘、皮溝がある。また皮膚９は強さと弱さとがあり微妙であり、髭の生え方も千差万別あり、極めて難しい状態である。そこで安全棒６を先行して運行操作をすると、皮膚９に適度の圧力が掛り髭を押さえて、皮膚９を平たくして剃りやすくする。そして女性の顔剃りと共に腋毛等の体毛処理にも有効である。その効果は安全を確保して、痛くなく、出血することなく、ヒリヒリと皮膚を損傷することなく、シェ−ビングができると共に皮膚９の汚れ、皮脂、老廃物を除去してツルツルすべすべにして新陳代謝を旺盛にする。生理的効果と、心やすらぐ精神的効果と、アンチエイジング的の効果がある。そして無理なく髭剃りと、体毛処理ができるので、刃の摩耗も少なく切れ味が長く続くので経済的な効果もある。
【図面の簡単な説明】
【０００８】
【図１】本考案の安全カミソリのホルダ−の斜視図と各部の名称である。
【図２】本考案の運行作用の断面図である。
【図３】本考案の刃保持体の斜め拡大断面図である。
【図４】特許文献の運行作用の断面図である。
【考案を実施する形態】
【０００９】安全カミソリは持ち方が極めて重要である。即ち、持ち方によって使い方大きく異なり作用効果に影響する。そして作用点は鋭く研磨した刃を安全に活用ために、刃先行しないようにする。刃先行とは刃が安全棒６より先に皮膚９に当接することであり、皮膚９を損傷するのである。
【００１０】上記の刃先行しないように、次ぎの持ち方をして順剃りを行う。図１に示すようにハンドルの後部を親指と人差指、中指、薬指の指先で挟むようにして持ち小指は握らないようにする。これをフリ−ハンドと言う、このようにして持つと指関節と手首関節が自在性に富んで柔らかく使えて、人体の自然運動と調和して、図２に示すようにテコの原理である。安全棒６が先行して皮膚９に当接して下刃８、上刃７の順に皮膚９に密着するようになり滑らかに運行操作ができるのである。
【００１１】次ぎは逆剃りである。仕上げ剃りとも言う、持ち方はホルダ−を逆さにして、ハンドル１後部を親指と人差指、中指で持ち薬指、小指は握らないようにしてペンを持つよよにする。これをペンハンドと言う。このようにして持つと手首が柔らかく使えて湾曲のノド部、凹凸のノド仏部、突き出てるアゴ部を左手で皮膚９を上に下に張るようにしながら、安全棒６、下刃８、上刃７の順に下方から上方に向けて、手首を使ってこきざみに剃り上げるのである。そして剃り残しのある場合は刃保持体４の方向角度を変えながら剃るのである。
【符号の説明】
【００１２】１、ハンドル            ６、安全棒
２、支持部材            ７、上刃
３、装着部材            ８、下刃
４、刃保持体            ９、皮膚
５、刃角安定板
【図１】
0003213710.tif 000003
【図２】
0003213710.tif 000004
【図３】
0003213710.tif 000005
【図４】
0003213710.tif 000006
【手続補正書】
【提出日】平成29年8月4日(2017.8.4)
【手続補正１】
【補正対象書類名】実用新案登録請求の範囲
【補正対象項目名】全文
【補正方法】変更
【補正の内容】
【実用新案登録請求の範囲】
【請求項１】
ハンドルと、前記ハンドルの長さ方向の先端に設けられた装着部材と、
前記装着部材に設けられた刃保持体と、前記保持体に設けられた刃と、を備え、
前記ハンドルは、上向きに反りを有する棒状に形成され、前記装着部材は、
前記刃保持体を前記ハンドルの長さ方向に対して斜角に装着できるように形成されていることを特徴とする安全カミソリ。
【請求項２】
請求項１に記載の安全カミソリであって、前記刃を前記刃保持体に対皮刃角度が１０°〜１５°となるよう設けることを特徴とする安全カミソリ。